(57)【要約】【課題】異物や水分の混入を防止することができ、また錠剤のつまり等を生じさせることがないとともに、所望量以上の錠剤が不用意に排出されるおそれもなく、容器本体から錠剤を一定量ずつ確実に取り出すことができる容器とその容器における錠剤の取り出し構造体を提供することを課題とする。【解決手段】容器本体１の口部に口栓３が取り付けられ、該口栓３には錠剤取り出し用の取出口４が形成され、該口栓３の上面側には開閉蓋５が回動自在に装着されているとともに、該開閉蓋５の下面側には、該開閉蓋５が口栓３の上面に接触して前記取出口４を閉塞しているときには容器本体１の内部に臨出し、前記開閉蓋５が上向きに回動する際には容器本体１の外部に突出し、錠剤を保持して取り出すことのできる保持体７が形成されていることを特徴とする。【選択図】    図７
2004269012.tif 000002
【特許請求の範囲】
【請求項１】
容器本体（１）  の口部に口栓（３）  が取り付けられ、該口栓（３）  には錠剤取り出し用の取出口（４）  が形成され、該口栓（３）  の上面側には開閉蓋（５）  が回動自在に装着されているとともに、該開閉蓋（５）  の下面側には、該開閉蓋（５）  が口栓（３）  の上面に接触して前記取出口（４）  を閉塞しているときには容器本体（１）  の内部に臨出し、前記開閉蓋（５）  が上向きに回動する際には容器本体（１）  の外部に突出し、錠剤を保持して取り出すことのできる保持体（７）  が形成されていることを特徴とする錠剤用容器。
【請求項２】
保持体（７）  が、錠剤を載置する載置片（８）  と、錠剤をガイドすべく前記載置片（８）  の両側に設けられた１対のガイド片（９），（９）  とで構成されている請求項１記載の錠剤用容器。
【請求項３】
保持体（７）  が、錠剤を１錠ずつ容器本体の外側に取り出すことができるように構成されている請求項１又は２記載の錠剤用容器。
【請求項４】
容器本体（１）  の口部に取り付けられる口栓（３）  と、該口栓（３）  の上面側に回動自在に装着される開閉蓋（５）  とからなり、前記口栓（３）  には錠剤取り出し用の取出口（４）  が形成され、前記開閉蓋（５）  の下面側には、該開閉蓋（５）  が口栓（３）  の上面に接触して前記取出口（４）  を閉塞しているときには容器本体（１）  の内部に臨出し、前記開閉蓋（５）  が上向きに回動する際には容器本体（１）  の外部に突出し、錠剤を保持して取り出すことのできる保持体（７）  が形成されていることを特徴とする錠剤用容器における錠剤の取り出し構造体。
【発明の詳細な説明】
【０００１】
【発明の属する技術分野】
本発明は、錠剤を収容するための容器と、その容器から錠剤を取り出すための構造体に関する。
【０００２】
【従来の技術】
一般に、錠剤は瓶状の容器に収容されているが、その容器本体内から錠剤を一定量ずつ取り出すことは容易ではない。そして一度に過剰に取り出すと、誤飲を生じる可能性もある。また、取り出し時に容器の口部が全開となっているために、異物が混入し、或いは空気中の水分によって薬剤が変質するおそれがある。
【０００３】
そこで、このような問題を解決するために、錠剤用容器や、その容器における錠剤の取り出し構造体に関する、下記特許文献１や特許文献２のような特許出願がなされている。
【０００４】
【特許文献１】
実開平３−９１３４９  号公報
【特許文献２】
実開昭６０−１０６９６６号公報
【０００５】
特許文献１は、錠剤容器の蓋板に放出小孔を設け、コップを縦方向に半裁した形状の錠剤放出規制体の上端縁をその半裁側が容器の側壁に相対させられるようにして放出小孔縁に連設し、これを容器内に垂設した錠剤容器頭部の構造に係るものである。
【０００６】
また、特許文献２は、錠剤等の送り出し容器に係るもので、この特許文献２記載の容器は、錠剤等を収容する容器本体に開閉自在の出口を有する送出し枠体を取り付け、送出し枠体は、固定枠体と回動枠体とで構成し、また送出し枠体には容器本体の内部を出口に連通させる通路を形成し、その送出し枠体の出口近傍に、錠剤１個を収納する空間を画成する突部を、固定枠体から通路に向かって突出させた構造からなるものである。
【０００７】
そして、回動枠体が固定枠体に対し回動したとき、回動枠体と固定枠体間に出口を形成し、かつ固定枠体から突出した突部より出口側には錠剤等が移動しないように、突部に対する回動枠体の間を狭めるように容器が構成されている。
【０００８】
【発明が解決しようとする課題】
しかし、上記特許文献１の容器頭部の構造は、錠剤を取り出す際には、容器を傾倒させ、放出小孔から錠剤を取り出す一方で、錠剤放出規制体の上端縁で規制しつつ、錠剤の取り出し量を調整するような構造となっている。従って、容器を傾倒させる角度によっては、錠剤放出規制体の上端縁で錠剤の取り出し量を好適に規制することができない場合があり、そのような場合には、所望量以上の量の錠剤が不用意に排出されるおそれがあった。特に、幼児等が容器を手に保持して振っただけでも多量の錠剤が排出される可能性もあり、そのような場合には誤飲を生じるおそれもある。
【０００９】
一方、特許文献２では、錠剤を１個ずつ取り出すことを意図してはいるが、送出し枠体に形成されている通路が長いものであり、また送出し枠体の出口近傍に画成された錠剤１個を収納する空間は、突部を固定枠体から通路に向かって突出させることによって形成されたものであるため、通路を錠剤が通過していく過程で、上記突部の位置で錠剤が詰まる可能性があり、一旦錠剤の詰まりが生ずると、上記のように通路が長く、錠剤の逃げ場がないために、錠剤が破壊、粉砕するおそれがあった。
【００１０】
本発明は、上述のような問題点を解決するためになされたもので、異物や水分の混入を防止することができ、また錠剤のつまり等を生じさせることがないとともに、所望量以上の錠剤が不用意に排出されるおそれもなく、容器本体から錠剤を一定量ずつ確実に取り出すことができる容器とその容器における錠剤の取り出し構造体を提供することを課題とする。
【００１１】
【課題を解決するための手段】
本発明は、このような課題を解決するために、錠剤用容器及びその容器における錠剤の取り出し構造体としてなされたもので、錠剤用容器としての特徴は、容器本体１の口部２に口栓３取り付けられ、該口栓３には錠剤取り出し用の取出口４が形成され、該口栓３の上面側には開閉蓋５が回動自在に装着されているとともに、該開閉蓋５の下面側には、該開閉蓋５が口栓３の上面に接触して前記取出口４を閉塞しているときには容器本体１の内部に臨出し、前記開閉蓋５が上向きに回動する際には容器本体１の外部に突出し、錠剤を保持して取り出すことのできる保持体７が形成されていることである。
【００１２】
また、錠剤用容器における錠剤の取り出し構造としての特徴は、容器本体１の口部２に取り付けられる口栓３と、該口栓３の上面側には回動自在に装着される開閉蓋５とからなり、前記口栓３には錠剤取り出し用の取出口４が形成され、前記開閉蓋５の下面側には、該開閉蓋５が口栓３の上面に接触して前記取出口４を閉塞しているときには容器本体１の内部に臨出し、前記開閉蓋５が上向きに回動する際には容器本体１の外部に突出し、錠剤を保持して取り出すことのできる保持体７が形成されていることである。
【００１３】
保持体７は、たとえば錠剤を載置する載置片８と、錠剤をガイドすべく前記載置片８の両側に設けられた１対のガイド片９，９とで構成される。
【００１４】
また、保持体７は、錠剤を１錠ずつ容器本体１の外側に取り出すことができるように構成されていることが好ましい。
【００１５】
【発明の実施の形態】
以下、本発明の実施形態について図面に従って説明する。
【００１６】
本実施形態の錠剤用容器は、錠剤が収容されたガラス瓶からなる市販の錠剤用容器を利用し、その容器本体から蓋を取り外し、容器本体の口部に、本実施形態の特徴的な錠剤の取り出し構造体を具備させたものである。
【００１７】
そして本実施形態の錠剤の取り出し構造体は、図１乃至図４に示すように、口栓３と、開閉蓋５とで構成されるものである。
【００１８】
口栓３は、軟質合成樹脂製のパッキングとして機能するものであり、ガラス瓶からなる容器本体１の口部２に取り付けられている。この口栓３は平面略円形に形成され、その一側縁側は略長方形状に開口されて、錠剤を取り出すための取出口４が形成されている。
【００１９】
開閉蓋５は合成樹脂製のものであり、前記口栓３の上面側に回動自在に装着されている。この開閉蓋５は、図２に示すように平面略円形に形成されており、その一側縁側には指等で把持するための摘片６が突設されている。
【００２０】
開閉蓋５の一部の下面側には、図３及び図４に示すように、錠剤を容器本体１の外部に取り出す際に、その錠剤を保持するための保持体７が形成され、その保持体７は、前記口栓３の取出口４の下側に没入して容器本体１の内部に臨出している。
【００２１】
この保持体７は、図３及び図４に示すように、容器本体１から錠剤を取り出す際に、その錠剤を載置するための略長方形状の載置片８と、錠剤をガイドすべく該載置片８の両側に設けられた１／４円弧部分を有する扇形の１対のガイド片９，９とで構成されている。
【００２２】
また、載置片８と、１対のガイド片９，９とで包囲して形成される保持体７の空間部は、１錠の錠剤のみが収容されて保持されるようなスペースに形成されている。
【００２３】
そして、載置片８と、開閉蓋５の根元部とでなす断面略Ｌ字状の形状と、ガイド片９の扇形の側面形状によって、口栓３の取出口４の周辺部において、保持体７の近傍を起点として開閉蓋５が回動し易いような状態にされている。
【００２４】
１２は、開閉蓋５の９０°以上の回動を禁止するためのストッパーで、図４に示すように、載置片８を両ガイド片９，９の外側にわずかに突出させることによって形成されている。
【００２５】
次に、上記のような構成からなる錠剤容器から錠剤を取り出す場合には、口部２が下側に向くように容器本体１を傾倒させ、該容器本体１の保持体７の載置片８及び１対のガイド片９，９間に形成される空間部内に、錠剤を入れる。
【００２６】
そして、図５に示すように、摘片６を指１０等で把持し、開閉蓋５と載置片８の交差部分を中心として開閉蓋５を上向きに回動させると、載置片８及び１対のガイド片９，９間で錠剤１１が保持され、さらに図６に示すように開閉蓋５を上向きに９０°回動させて略垂直になるように起立させることによって、錠剤１１は容器本体１の外側に取り出されることとなる。
【００２７】
この場合において、載置片８と、１対のガイド片９，９とで包囲して形成される保持体７の空間部は、上述のように１錠の錠剤のみが収容されて保持されるようなスペースに形成されているため、上記のように容器本体１を傾倒させて、多量の錠剤が保持体７の近傍に近接したとしても、その保持体７内には決して２錠以上の錠剤１１が保持されることがなく、従って容器本体１の外部への錠剤１１の排出は、１錠ずつ確実に行われることとなるのである。
【００２８】
尚、載置片８には、両ガイド片９，９の外側にわずかに突出するストッパー１２，１２  が形成されているので、開閉蓋５の９０°回動した際、図８に示すように、ストッパー１２，１２  が口栓３の下面側に当接し、その結果、開閉蓋５が９０°以上回動するのが好適に禁止されることとなる。
【００２９】
上述のようにして、錠剤が１錠ずつ容器本体１の外部へ取り出されることにより、誤飲等を生じるおそれがなく、表示された用法、用量等に従った所定の量の錠剤を投与することできる。
特に、劇薬や、有効成分の含有量が多い錠剤のように、１回の投与量が１錠と定められている薬剤の場合には、上記のように容器本体１から１錠ずつ排出される錠剤をそのまま１回分として投与すればよいので、誤飲等も一層確実に防止されることとなる。
【００３０】
尚、上記実施形態では、容器本体１の口部に口栓として、軟質合成樹脂製の口栓３を使用したが、口栓の材質はこれに限定されるものでなない。
【００３１】
また、該実施形態では、保持体７が、錠剤を載置する載置片８と、錠剤をガイドすべく前記載置片８の両側に設けられた１対のガイド片９，９とで構成されていたが、保持体７の構成はこれに限定されるものではなく、要は、開閉蓋５が上向きに回動したときに、容器本体１の外部に錠剤を保持して取り出すことのできる保持体７が、開閉蓋５の下面側に形成されていればよいのである。
【００３２】
また、該実施形態では、保持体７が、錠剤を１錠ずつ容器本体１の外側に取り出すことができるようなスペースを有して構成されていたが、これに限らず、２錠ずつ或いは３錠ずつ取り出すことができるようなスペースを有して構成することも可能である。
要は、一定量ずつ錠剤を保持して取り出すことができるように保持体７が構成されていればよい。
【００３３】
ただし、錠剤の詰まり等を好適に防止する観点からは、上記実施形態のように１錠ずつ保持して取り出すことができるように構成するのが好ましい。
【００３４】
さらに、上記実施形態では、載置片８と、開閉蓋５の根元部とでなす断面略Ｌ字状の形状と、ガイド片９の扇形の側面形状によって、口栓３の取出口４の周辺部において、保持体７の近傍を起点として開閉蓋５が回動し易いような状態にされていたが、開閉蓋５の根元部近傍の断面形状やガイド片９の側面形状も該実施形態に限定されるものでなない。
【００３５】
さらに、上記実施形態では、容器本体１は、錠剤が収納された既存の容器のもの（市販の容器）がそのまま用いられ、市販の錠剤容器の蓋（外蓋）を取り外した後、別途準備された口栓３と開閉蓋５からなる構造体が、容器本体１の口部２に装着され、その外蓋の代替品として使用されていたが、これに限らず、市販の錠剤容器の外蓋の内側に予め装着して使用することも可能である。
【００３６】
この場合には、錠剤容器に取り付けられている一般の蓋（外蓋）に対し、内蓋としての機能、別言すれば中栓としての機能を有することとなる。
【００３７】
【発明の効果】
以上のように、本発明は、容器本体の口部に口栓が取り付けられ、該口栓には錠剤取り出し用の取出口が形成され、該口栓の上面側には開閉蓋が回動自在に装着されているとともに、該開閉蓋の下面側には、該開閉蓋が口栓の上面に接触して前記取出口を閉塞しているときには容器本体の内部に臨出し、前記開閉蓋が上向きに回動する際には容器本体の外部に突出し、錠剤を保持して取り出すことのできる保持体が形成されているため、容器を傾倒させる等により上記保持体に所定量の錠剤を保持させ、開閉蓋を回動させることによって、従来の錠剤容器のように錠剤のつまり等を生じさせることなく、また所望量以上の錠剤が不用意に排出されるおそれもなく、容器本体から錠剤を一定量ずつ確実に取り出すことができるという効果がある。
【００３８】
また、開閉蓋を口栓の上面に接触させることで、その開閉蓋により口栓に形成された取出口を好適に閉塞させることができ、従って容器本体内への異物や水分の混入を防止することができるとい効果がある。
【００３９】
また、保持体が、錠剤を載置する載置片と、載置片の両側に設けられた１対のガイド片とで構成されている場合には、ガイド片で錠剤を案内させつつ載置片上に錠剤を載置できるので、これら載置片及び両ガイド片の計３片で包囲される保持体の空間部内に、錠剤を確実に保持させることができるという効果がある。
【００４０】
また、保持体が、錠剤を１錠ずつ容器本体の外側に取り出すことができるように構成されている場合には、２錠以上の錠剤が排出されることがないので、錠剤の詰まりを一層確実に防止できるとともに、所望量以上の錠剤が不用意に排出されるおそれも一層確実に防止できるという効果がある。
【００４１】
さらに錠剤を１錠ずつ取り出すことができるように構成されている場合、特に劇薬や有効成分の含有量が多い錠剤のように、１回の投与量が１錠と定められている薬剤の場合に、容器本体から１錠ずつ排出される錠剤をそのまま１回分として投与すればよいので、誤飲等も一層確実に防止されるという効果がある。
【図面の簡単な説明】
【図１】一実施形態としての錠剤用容器の正面図。
【図２】同平面図。
【図３】図１のＡ−Ａ線拡大断面図。
【図４】図１のＢ−Ｂ線拡大断面図。
【図５】開閉蓋を回動させる状態の要部拡大断面図。
【図６】開閉蓋を最上部まで回動させて起立させた状態の要部拡大断面図。
【図７】開閉蓋を最上部まで回動させて起立させた状態の側面図。
【図８】ストッパーが口栓の裏面側に係止された状態の要部拡大断面図。
【符号の説明】
１…容器本体            ２…口部
３…口栓                ４…取出口
５…開閉蓋              ７…保持体
８…載置片              ９…ガイド片
１１…錠剤
【図１】
2004269012.tif 000003
【図２】
2004269012.tif 000004
【図３】
2004269012.tif 000005
【図４】
2004269012.tif 000006
【図５】
2004269012.tif 000007
【図６】
2004269012.tif 000008
【図７】
2004269012.tif 000009
【図８】
2004269012.tif 000010